(57)【要約】【課題】車両ルーフの外観意匠性を向上させ得るとともに、衣類として使用することができるルーフ外装材を提供する。【解決手段】本ルーフ外装材は、車両ルーフの外装をなすルーフ外装材１であって、ルーフ本体２の外面側に着脱可能に取り付けられ、柔軟性を有する材料で形成され、ルーフ本体から取り外した状態で身体９に羽織る衣類７として使用できる。【選択図】図１
2013220689.tif 000002
【特許請求の範囲】
【請求項１】
車両ルーフの外装をなすルーフ外装材であって、
ルーフ本体の外面側に着脱可能に取り付けられ、柔軟性を有する材料で形成され、前記ルーフ本体から取り外した状態で身体に羽織る衣類として使用できることを特徴とするルーフ外装材。
【請求項２】
防水性を有する請求項１記載のルーフ外装材。
【請求項３】
身体の頭部を通すための切込み部が設けられている請求項１又は２に記載のルーフ外装材。
【請求項４】
前記切込み部に身体の頭部を通したときに、前記ルーフ外装材のうちで身体の前側及び後側のそれぞれに垂れる部位の横縁側が接合可能である請求項３記載のルーフ外装材。
【発明の詳細な説明】
【技術分野】
【０００１】
本発明は、ルーフ外装材に関し、更に詳しくは、車両ルーフの外観意匠性を向上させ得るとともに、衣類として使用することができるルーフ外装材に関する。
【背景技術】
【０００２】
従来の車両ルーフとして、金属製のルーフパネルを備えるものが一般に知られている。しかし、上記従来の車両ルーフでは、金属製のルーフパネルで車両ルーフの外装がなされているので、車両ルーフの外観意匠性を高めることができない。また、金属製のルーフパネルをルーフ機能以外の特殊用途に利用することができない。
【０００３】
なお、従来の自動車用シェードとして、フロントガラス内面側に配設されるシェードを羽織ることでポンチョとして使用可能なものが知られている（例えば、特許文献１参照）。しかしながら、上記特許文献１には、車両ルーフの構成部品を衣類として使用することについて全く開示されていない。
【先行技術文献】
【特許文献】
【０００４】
【特許文献１】特開平９−１９３６５４号公報
【発明の概要】
【発明が解決しようとする課題】
【０００５】
本発明は、上記現状に鑑みてなされたものであり、車両ルーフの外観意匠性を向上させ得るとともに、衣類として使用することができるルーフ外装材を提供することを目的とする。
【課題を解決するための手段】
【０００６】
上記問題を解決するために、請求項１に記載の発明は、車両ルーフの外装をなすルーフ外装材であって、ルーフ本体の外面側に着脱可能に取り付けられ、柔軟性を有する材料で形成され、前記ルーフ本体から取り外した状態で身体に羽織る衣類として使用できることを要旨とする。
請求項２に記載の発明は、請求項１記載において、防水性を有することを要旨とする。
請求項３に記載の発明は、請求項１又は２に記載において、身体の頭部を通すための切込み部が設けられていることを要旨とする。
請求項４に記載の発明は、請求項３記載において、前記切込み部に身体の頭部を通したときに、前記ルーフ外装材のうちで身体の前側及び後側のそれぞれに垂れる部位の横縁側が接合可能であることを要旨とする。
【発明の効果】
【０００７】
本発明のルーフ外装材によると、ルーフ本体の外面側に着脱可能に取り付けられ、柔軟性を有する材料で形成され、ルーフ本体から取り外した状態で身体に羽織る衣類として使用できるので、ルーフ外装材は、ルーフ本体に取り付けて車両ルーフの外装をなすように使用される一方、ルーフ本体から取り外して身体に羽織る衣類として使用される。これにより、車両ルーフの外観意匠性を向上させ得るとともに、ルーフ外装材を衣類として使用することができる。
また、防水性を有する場合は、ルーフ外装材に車両ルーフとして必要な防水機能を持たせ得るとともに、ルーフ外装材をポンチョ、レインコート等の雨具や防寒具などとして好適に使用することができる。
また、身体の頭部を通すための切込み部が設けられている場合は、切込み部に身体の頭部が通されて衣類の外部に露出される。
さらに、前記切込み部に身体の頭部を通したときに、前記ルーフ外装材のうちで身体の前側及び後側のそれぞれに垂れる部位の横縁側が接合可能である場合は、ルール外装材の脇下側となる両部位の横縁側を接合することで身体に密着して羽織ることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るルーフ外装材を取り付けた状態の車両を示す斜視図である。
【図２】図１のＩＩ−ＩＩ線断面図である。
【図３】上記ルーフ外装材の縫製前の部品の表側から見た平面図である。
【図４】上記ルーフ外装材の斜視図である。
【図５】実施例に係るポンチョの正面図である。
【図６】上記ポンチョの側面図である。
【図７】上記ポンチョの他の使用形態を説明するための説明図である。
【図８】その他の形態のルーフ外装材を説明するための説明図であり、（ａ）はルーフ外装材の平面図であり、（ｂ）は（ａ）の要部拡大図である。
【図９】更にその他の形態のルーフ外装材を説明するための説明図であり、（ａ）はルーフ外装材の平面図であり、（ｂ）は（ａ）のｂ−ｂ線断面拡大図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．ルーフ外装材
本実施形態１．に係るルーフ外装材は、車両ルーフの外装をなすルーフ外装材（１、１１、１４）であって、ルーフ本体（２）の外面側に着脱可能に取り付けられ、柔軟性を有する材料で形成され、ルーフ本体から取り外した状態で身体（９）に羽織る衣類（７）として使用できることを特徴とする（例えば、図１及び図５等参照）。
【００１１】
本実施形態１．に係るルーフ外装材としては、例えば、防水性を有する形態を挙げることができる。
【００１２】
本実施形態１．に係るルーフ外装材としては、例えば、身体（９）の頭部（９ａ）を通すための切込み部（６）が設けられている形態（例えば、図１及び図５等参照）を挙げることができる。
【００１３】
上述の形態の場合、例えば、上記切込み部（６）に身体（９）の頭部（９ａ）を通したときに、ルーフ外装材（１）のうちで身体の前側及び後側のそれぞれに垂れる部位の横縁側が接合可能であることができる（例えば、図７等参照）。
【実施例】
【００１４】
以下、図面を用いて実施例により本発明を具体的に説明する。なお、本実施例では、車両として一人乗り用車両を例示する。
【００１５】
（１）ルーフ外装材の構成
本実施例に係るルーフ外装材１は、図１及び図２に示すように、留め具４により車両３のルーフ本体２の外面側（外装面側）に着脱可能に取り付けられている。このルーフ外装材１は、ルーフ本体２の外面側を覆って車両ルーフの外装をなしている。また、ルーフ外装材１は、柔軟性及び防水性を有する材料（例えば、ポリテトラフルオロエチレンを延伸加工したフィルムとポリウレタンポリマーを複合化した材料等）で形成されたシート材からなる。また、上記留め具４は、ルーフ外装材１の裏面周縁側に設けられる雄金具４ａと、ルーフ本体２の表面周縁側に設けられ且つ雄金具４ａが係脱可能な雌金具４ｂと、を有している。
【００１６】
上記ルーフ外装材１は、図３及び図４に示すように、３部品１ａ〜１ｃを立体的に縫製又は溶融接合して一方を開放した箱状に形成されている。このルーフ外装材１には、その長手方向の略中央部に幅方向に延びる切込み部６が設けられている。そして、ルーフ外装材１は、図５及び図６に示すように、ルーフ本体２から取り外した状態で身体に羽織るポンチョ７（本発明に係る「衣類」として例示する。）として使用される。このポンチョ７は、切込み部６に身体９の頭部９ａを通して、ルーフ外装材１を長手方向の略中央部で折り曲げて身体９の前側及び後側のそれぞれに垂らして身体９に羽織られる。なお、上記ルーフ外装材１をルーフ本体２に取り付けた状態において、切込み部６には、ルーフ本体２に設けられる車両の機能部品１０（例えば、ライト、アンテナ等）が通されている（図１及び図２参照）。
【００１７】
（２）ルーフ外装材の作用
次に、上記構成のルーフ外装材１の作用について説明する。ルーフ外装材１は、留め具４によりルーフ本体２に取り付けられて車両ルーフの外装をなすように使用される（図１参照）。ここで、予め意匠の異なる複数のルーフ外装材１を用意しておけば、ルーフ外装材１を交換することで車両ルーフの外観が変更される。
【００１８】
一方、ルーフ本体２から取り外されたルーフ外装材１は、身体９に羽織るポンチョ７として使用される（図５及び図６参照）。この場合、図７に示すように、ルーフ外装材１のうちの身体９の前側に垂れる部位の横縁側と身体９の後側に垂れる部位の横縁側とを留め具４により接合することができる。
【００１９】
（３）実施例の効果
以上より、本実施例のルーフ外装材１によると、ルーフ本体２の外面側に着脱可能に取り付けられ、柔軟性を有する材料で形成され、ルーフ本体２から取り外した状態で身体９に羽織るポンチョ７として使用できるので、ルーフ外装材１は、ルーフ本体２に取り付けて車両ルーフの外装をなすように使用される一方、ルーフ本体２から取り外して身体９に羽織るポンチョ７として使用される。これにより、車両ルーフの外観意匠性を向上させ得るとともに、ルーフ外装材１をポンチョ７として使用することができる。さらに、予め意匠の異なる複数のルーフ外装材１を備える場合は、ルーフ外装材１を交換することで車両ルーフの外観を容易に変更することができる。
【００２０】
また、本実施例では、ルーフ外装材１は防水性を有するので、ルーフ外装材１に車両ルーフとして必要な防水機能を持たせ得るとともに、ルーフ外装材１をポンチョ７として好適に使用することができる。
【００２１】
また、本実施例では、ルーフ外装材１には、身体９の頭部９ａを通すための切込み部６が設けられているので、切込み部６に身体９の頭部９ａが通されてポンチョ７の外部に露出される。
【００２２】
また、本実施例では、切込み部６に身体９の頭部９ａを通したときに、ルーフ外装材１のうちで身体９の前側及び後側のそれぞれに垂れる部位の横縁側が接合可能であるので、ルール外装材１の脇下側となる両部位の横縁側を接合することで身体９に密着して羽織ることができる。
【００２３】
また、本実施例では、ルーフ外装材１をルーフ本体２に取り付けた状態で、切込み部６にルーフ本体２に設けられる車両の機能部品１０を通すようにしたので、ポンチョ７のための切込み部６を有効利用して車両機能を向上させることができる。
【００２４】
さらに、本実施例では、ルーフ外装材１の縁側にはルーフ本体２に取り付けるための取付具（留め具４等）が設けられ、この取付具を利用してルーフ外装材１の脇下側の両部位を接合するようにしたので、ルーフ本体２に対する取付具をルーフ外装材１の接合に利用することで部品点数及びコストの低減を図ることができる。
【００２５】
尚、本発明においては、上記実施例に限られず、目的、用途に応じて本発明の範囲内で種々変更した実施例とすることができる。即ち、上記実施例では、表面に模様等のないルーフ外装材１を例示したが、これに限定されず、例えば、図８（ａ）（ｂ）に示すように、表面にステッチ１２を設けてなるルーフ外装材１１としてもよい。また、ルーフ外装材１１の表面に複数の板材１３を貼り付けるようにしてもよい。これにより、ルーフ外装材１１を衣類として使用する際に板材１３により立体形状を維持できるとともに、ルーフ本体２に取り付けて使用する際に板材１３により車両ルーフの外観意匠性を更に向上させることができる。
【００２６】
また、図９（ａ）（ｂ）に示すように、ルーフ外装材１４の表面側にプリーツ部１５を設け、このプリーツ部１５の内側に光源１６を設けるようにしてもよい。これにより、ルーフ外装材１４を衣類として使用する際に光源１６の点灯により衣類の外観意匠性及び安全性を向上させ得るとともに、ルーフ本体２に取り付けて使用する際に光源１６の点灯により車両ルーフの外観意匠性を更に向上させることができる。
【００２７】
また、上記実施例では、防水性を有する材料で形成されたルーフ外装材１を例示したが、これに限定されず、例えば、表面に防水加工（防水皮膜等）を施してなるルーフ外装材としたり、織物構造等により防水性を発揮するルーフ外装材としたりしてもよい。
【００２８】
また、上記実施例では、単一のルーフ外装材１で衣類をなすようにしたが、これに限定されず、例えば、２以上のルーフ外装材を接合して衣類をなすようにしたり、ルーフ外装材と予め用意される他の部材とを接合して衣類をなすようにしたりしてもよい。
【００２９】
さらに、上記実施例では、衣類としてポンチョを例示したが、これに限定されず、例えば、レインコート、オーバーコート、ケープ等としてもよい。
【００３０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００３１】
本発明は上記で詳述した実施形態に限定されず、本発明の請求項に示した範囲で様々な変形または変更が可能である。
【産業上の利用可能性】
【００３２】
乗用車、バス、トラック等の他、列車、汽車等の鉄道車両、建設車両、農業車両、産業車両などの車両のルーフ外装材に関する技術として広く利用される。
【符号の説明】
【００３３】
１，１１，１４；ルーフ外装材、２；ルーフ本体、３；車両、６；切込み部、７；ポンチョ、９；身体、９ａ；頭部。
【図１】
2013220689.tif 000003
【図２】
2013220689.tif 000004
【図３】
2013220689.tif 000005
【図４】
2013220689.tif 000006
【図５】
2013220689.tif 000007
【図６】
2013220689.tif 000008
【図７】
2013220689.tif 000009
【図８】
2013220689.tif 000010
【図９】
2013220689.tif 000011